(57)【要約】【課題】洗浄能力と作業性の向上が図れるとともに、洗浄作業を軽減し得る番号器の洗浄器具を提供する。【解決手段】番号器の番号器字輪側面、字輪転換ギヤおよび送り爪のカム仕組の洗浄を、番号器フレームに取り付け可能に形成された基台と、基台に洗浄部材埋設部を有し、その洗浄部材埋設部に先端が突起状の合成繊維からなるブラシ構造の金属ピンを少なくとも１以上整列させて埋め込んだ洗浄部材（丸棒拡散ブラシ）により構成した洗浄器具を用いた。【選択図】  図１
2005074631.tif 000002
【特許請求の範囲】
【請求項１】
複数の凸状の数字文字記号が円周に沿ってそれぞれ均等形成された円盤状の番号器用字輪と、前記番号器用字輪の側面に取り付けられ、前記番号器用字輪を間欠的に回転駆動させる字輪転換ギヤと、前記字輪転換ギヤを間欠的に回転駆動させる送り爪のカム仕組からなる字輪転換ギヤ仕組と、前記字輪転換ギヤ仕組が組み込まれた番号器フレームにより構成された番号器（ナンバリング）の洗浄において、
前記番号器フレームに取り付け可能に形成された基台と、前記基台に設けられた洗浄部材取付部と、前記洗浄部材取付部に少なくとも１以上整列させて設けられた洗浄部材とによって構成された番号器の洗浄器具。
【請求項２】
上記洗浄部材が、先端が突起状の合成繊維からなるブラシ構造で形成された金属ピンであることを特徴とする請求項１記載の番号器の洗浄器具。
【請求項３】
上記洗浄部材の取り付け高さ配列を、番号器の形状に応じて変化させたことを特徴とする請求項１または２記載の番号器の洗浄器具。
【請求項４】
上記洗浄部材の取り付け位置が、番号器用字輪の字輪幅に応じて、洗浄部材取付部の固定支持ボルトの緩締により位置調整が可能であることを特徴とする請求項１、２または３記載の番号器の洗浄器具。
【発明の詳細な説明】
【０００１】
【発明の属する技術分野】
本発明は、宝くじや銀行券などの諸証券の連続印刷に使用される番号印刷機に設置されている番号器の洗浄器具に関し、番号器、詳細には番号器字輪側面、字輪転換ギヤおよび送り爪のカム仕組を洗浄する器具に関する。
【０００２】
【従来の技術】
通常の番号器は、印字面数に桁数分をべき乗した数を一周期として印字を行っている。例えば、印字面数１０面の４桁番号器は、１０の４乗で００００〜９９９９の印字の一万周期である。
【０００３】
その番号器には、番号器用字輪（７）の片面に字輪転換ギヤ（９）があり、この字輪転換ギヤ（９）を送り爪（１１）の反復運動により作動させ、印字面数に桁数分をべき乗した数の周期で連続印字する機構である。
【０００４】
番号印刷機において被印刷体（例えば、紙）に対し、インキ着肉装置（図示せず）によって番号器用字輪（７）にインキを転移させ、その番号器用字輪（７）が被印刷体と直接接触し印刷する。
【０００５】
番号印刷を行なっていると、時間の経過とともに番号印刷に使用するインキが隣り合う番号器用字輪側面（８）の字輪間狭隘個所へ流れ込みインキが固化する場合や、埃および塵が付着する場合や、高速運転によりインキがミスト上に飛散するミスチング現象により、字輪転換ギヤ（９）および送り爪（１１）のカム仕組（１２）にインキが堆積することにより、字輪の転換を阻害させ、番号器用字輪（７）の転換不良を引き起こし、結果として印刷不良が発生してしまう恐れがあった。
【０００６】
従来の番号器における字輪転換ギヤ（９）および送り爪（１１）のカム仕組（１２）の洗浄は、機械稼働を停止させ番号器を番号印刷機から取り外し、字輪転換ギヤ（９）および送り爪（１１）のカム仕組（１２）を分解し、揮発性に優れ洗浄効果のある第二種石油類の洗浄液（例えば、ナフテン）により洗浄する方法が一般的に実施されているが、付着物が固形化した状態に経時変化しており、多大な時間と手間を費やすだけでなく、駆動部の潤滑油を完全に除去することで番号器用字輪（７）の転換不良を引き起こすため、洗浄後に再度、番号器用字輪（７）の円滑な転換を得るために潤滑油を補充する必要があった。
【０００７】
また、番号印刷機本体に組付けた状態のまま、刃先の鋭利な金属冶具を利用し、その先端に拭き取りに使用する布を巻きつけて清掃作業を実施する場合があるが、拭き取りに使用する布片よりの糸くずの付着や、拭き取り布の破れにより鋭利金属冶具が字輪転換ギヤ（９）や番号器用字輪（７）そのものを傷つけてしまう恐れがあり、専門的な技術を有する者に該作業は限定されるばかりでなく、オペレータは該作業に慎重且つ手間を必要としていた。
【０００８】
その対策のひとつとして本出願人により、番号器自動洗浄機能を有する番号印刷機として番号洗浄液の飛散防止のため密閉状態を形成して、洗浄液および潤滑油を番号器洗浄直前に混合する番号器自動洗浄装置およびこの番号器の洗浄方法について開示している（例えば、特許文献１参照。）。
【０００９】
【特許文献１】
特開２００１−３３４７４０号公報（第４項、第３−５図）
【００１０】
【発明が解決しようとする課題】
従来の洗浄作業においては、番号器用字輪（７）を取り外す手間が掛かるばかりでなく、本体の分解、組立時における機能の精度確認、整備点検の時間が新たに必要であった。
【００１１】
また、該部の洗浄に揮発性に優れ洗浄効果のある第二種石油類の洗浄液を使用しているため人体へ影響もあった。また、刃先の鋭利な金属冶具を使用していたことから番号器用字輪（７）の損傷が危惧され、作業に慎重さとオペレータのスキルを必要としていた。
【００１２】
それでも完全な洗浄が実施できていなかったことから、良好な品質の印刷物製品が得られない、具体的には番号器用字輪（７）の転換不良による印刷位置ズレや番号狂いが発生することにより正規な連続番号印刷製品が得られないなどの問題点もあった。
【００１３】
上記課題を解決するため、番号器フレーム（１０）への取り付けが容易で、番号印刷機の強制稼動操作により番号器用字輪（７）が転換することを利用し、番号器用字輪側面（８）の字輪間狭隘個所での字輪転換ギヤ（９）および送り爪（１１）のカム仕組（１２）への堆積インキを洗浄する器具であり、前記番号器用字輪側面（８）の字輪間狭隘個所に侵入したインキを洗浄する手段として、前記番号器フレーム（１０）に取り付け可能な基台（２）に洗浄部材取付部（１５）を設け、その上に突起状の合成繊維からなるブラシ構造（６）の洗浄部材（３）を最低１以上整列させた構成の番号器の洗浄器具（１）を用いて番号器、詳細には番号器字輪側面（８）、字輪転換ギヤ（９）および送り爪（１１）のカム仕組（１２）を洗浄するものである。
【問題を解決するための手段】
【００１４】
本発明は、複数の凸状の数字文字記号が円周に沿ってそれぞれ均等形成された円盤状の番号器用字輪（７）と、前記番号器用字輪（７）の側面に取り付けられ、前記番号器用字輪（７）を間欠的に回転駆動させる字輪転換ギヤ（９）と、前記字輪転換ギヤ（９）を間欠的に回転駆動させる送り爪（１１）のカム仕組（１２）からなる字輪転換ギヤ仕組と、前記字輪転換ギヤ仕組が組み込まれた番号器フレーム（１０）により構成された番号器（ナンバリング）の洗浄において、前記番号器フレーム（１０）に取り付け可能に形成された基台（２）と、前記基台（２）に洗浄部材（３）を取付するための洗浄部材取付部（１５）を設け、前記洗浄部材取付部（１５）に少なくとも１以上整列させて設けられた洗浄部材（３）により構成した番号器の洗浄器具である。
【００１５】
さらに本発明は、上記洗浄部材（３）が、先端が突起状の合成繊維からなるブラシ構造（６）で形成された金属ピン（５）である番号器の洗浄器具である。
【００１６】
さらに本発明は、上記洗浄部材（３）の取り付け高さ配列を、番号器の形状に応じて変化させた番号器の洗浄器具である。
【００１７】
さらに本発明は、上記洗浄部材（３）の取り付け位置が、番号器用字輪（７）の字輪幅に応じて、洗浄部材取付部（１５）の固定支持ボルト（１６）の緩締により位置調整が可能な番号器の洗浄器具である。
【００１８】
【発明の実施の形態】
本発明に関する実施形態を、実施例に基づき図面を参照して説明する。まず、図１は本発明の番号器の洗浄器具の概略構成図である。基台（２）上の洗浄部材取付部（１５）に複数個の突起状の合成繊維からなるブラシ構造（６）の洗浄部材（例えば、丸棒拡散ブラシ）（３）が嵌め込まれている。また、番号器フレームへ取り付けて固定が可能となるように取付用ネジ穴（４）を施してある。図２は番号器の概略構成図である。番号器用字輪（７）の隣接した位置に字輪転換ギヤ（９）があり、送り爪（１１）のカム仕組（１２）の反復運動により番号器用字輪（７）を転換させる。図３は番号器の概略構成図である。
【００１９】
（実施例１）図４は番号器洗浄器具（１）の取付状態図である。番号器用字輪側面（８）、字輪転換ギヤ（９）、送り爪（１１）のカム仕組（１２）の字輪間狭隘個所へ基台（２）上の複数個の突起状の合成繊維からなるブラシ構造（６）の洗浄部材（例えば、丸棒拡散ブラシ）（３）を嵌め込むようにセットし、取付用ネジ（１３）にて固定する。このとき、前記洗浄部材（３）が隣り合う番号機用字輪（７）の間にて規制されることで、前記洗浄部材（３）のセット方向および位置を確実にする。これにより、番号器用字輪間（例えば、一位と十位の間）の字輪転換ギヤ（９）の間に前記洗浄部材（３）が挿入固定される。次に強制転換運転を行うことにより字輪転換ギヤ（９）が間欠的に回転し、前記洗浄部材（３）が字輪転換ギヤ（９）および送り爪（１１）のカム仕組（１２）の堆積インキを取り除くことができる。
【００２０】
（実施例２）図５、図６および図７は洗浄部材（３）の取り付け高さ配列を、番号器の形状に応じて変化させたときの一例である。図７のように洗浄部材（３）の高さを変化させることで、番号器用字輪側面（８）、字輪転換ギヤ（９）の広範囲にブラシ構造（６）が密接する。
【００２１】
本形態にて洗浄を実施したところ、番号器用字輪側面（８）、字輪転換ギヤ（９）および送り爪（１１）のカム仕組（１２）の内在部から外在部までの広範囲にわたって、堆積インキの除去が可能であった。
【００２２】
（実施例３）図８は洗浄部材取付部（１５）の固定状態の一例である。洗浄部材取付部（１５）を固定する固定支持ボルト（１６）を緩締することで、移動領域（Ａ）間の範囲で字輪幅に応じた位置での固定が可能となる。このことで字輪幅が異なる番号器であっても、洗浄部材（３）を番号器用字輪側面（８）、字輪転換ギヤ（９）に密接させ洗浄することができる。
【００２３】
また、図８に記載されている洗浄部材取付部（１５）を字輪の数に応じて増設することや減除することもできる。
【００２４】
字輪転換ギヤ（９）および送り爪（１１）のカム仕組（１２）を前記洗浄部材（３）で洗浄する場合、前記洗浄部材（３）を第二類石油類の洗浄液と潤滑成分である油を混合した溶液（洗浄液に対する油の含有割合を１〜１０％に変化させた）に浸漬してから洗浄を実施することで、前記洗浄部材（３）に付着した洗浄液による洗浄効果と同時に、潤滑効果により番号器用字輪（７）の転換動作不良の防止効果もある。
【００２５】
洗浄後、番号器（ナンバリング）を分解したところ、番号器用字輪側面（８）、字輪転換ギヤ（９）および送り爪（１１）のカム仕組（１２）へのインキの付着はなかった。また、番号器用字輪側面（８）、字輪転換ギヤ（９）および送り爪（１１）のカム仕組（１２）には、潤滑に十分な油成分が存在していた。
【００２６】
さらに、本発明の番号器の洗浄器具（１）は、基台（２）に磁性を付与した金属であってもかまわない。本実施例では１０００ガウスの希土類磁石を使用したが、５００〜２０００ガウスの範囲内であれば、番号器の洗浄を行なっても外れることなく使用できる。このことで前記番号器の洗浄器具（１）を容易に取り付け／取り外しすることが可能となる。また、基台（２）から洗浄部材取付部（１５）を取り外すことが可能であり繰り返し使用することができる。
【００２７】
前記洗浄部材（３）の洗浄方法としては、０．１〜２．０ｋｗの超音波出力、２０〜１００ｋＨｚの超音波周波数、２００〜８００ｍｍＨｇの真空度の雰囲気における減圧超音波洗浄を実施している。
【００２８】
以上、本発明について説明してきたが、本発明は実施形態に限定されるものではなく、本特許請求の範囲に記載の範囲内でいろいろな実施形態があることは言うまでもない。
【００２９】
【発明の効果】
本発明による字輪転換ギヤ（９）および送り爪（１１）のカム仕組（１２）への堆積インキを除去する番号器の洗浄器具（１）を発明したことにより、番号印刷機に使用される番号器の番号器フレーム（１０）に該洗浄器具（１）を取り付け強制転換運転することで、字輪転換ギヤ（９）および送り爪（１１）のカム仕組（１２）の堆積インキの除去が可能である。
【００３０】
従来、必須作業であった番号印刷機から番号器を取り外し、分解しての洗浄作業が不必要となることから、オペレータの手間や番号位置の再調整にかかる時間を節減することが可能となり生産性の向上を図ることが可能となる。
【００３１】
また、番号器用字輪側面（８）の字輪間狭隘個所の字輪転換ギヤ（９）へ堆積したインキの洗浄に対して、先端が鋭利な金属冶具を用いることが不必要となり、番号器用字輪（７）及び字輪転換ギヤ（９）の損傷が皆無となることで番号器の保守管理を安定化させることが可能となる。
【図面の簡単な説明】
【図１】本発明の番号器の洗浄器具の概略構成図を示す。
【図２】一般的な番号器の概略構成図を示す。
【図３】一般的な番号器の外観図を示す。
【図４】本発明の洗浄器具の取付状態図を示す。
【図５】本発明の洗浄器具の概観構成図の一例を示す。
【図６】本発明の洗浄器具の正面図の一例を示す。
【図７】本発明の洗浄部材取付部の固定状態の正面図を示す。
【図８】本発明の洗浄部材取付部の固定状態の側面図を示す。
【符号の説明】
１  番号器洗浄器具
２  基台
３  洗浄部材（丸棒拡散ブラシ）
４  取付用ネジ穴
５  金属ピン
６  ブラシ構造
７  番号器用字輪
８  番号器用字輪側面
９  字輪転換ギヤ
１０  番号器フレーム
１１  送り爪
１２  カム仕組
１３  取付用ネジ
１４  スペーサー
１５  洗浄部材取付部
１６  固定支持ボルト
Ａ  移動領域
【図１】
2005074631.tif 000003
【図２】
2005074631.tif 000004
【図３】
2005074631.tif 000005
【図４】
2005074631.tif 000006
【図５】
2005074631.tif 000007
【図６】
2005074631.tif 000008
【図７】
2005074631.tif 000009
【図８】
2005074631.tif 000010